(57)【要約】【課題】地図上に示された測定位置および測定値に基づいて行う測定対象体の良否の判定を正確かつ容易に行う。【解決手段】測定対象体における予め決められた物理量の測定値を取得する測定値取得処理、および物理量を測定した測定位置を取得する測定位置取得処理を実行可能に構成され、測定値および測定位置を地図上に示した画像を表示部１６に表示させる表示処理を実行する処理部１７を備え、処理部１７は、予め規定された複数の基準範囲のいずれに測定値が属するかを判定する判定処理を行い、表示処理において、判定した基準範囲を他の基準範囲と区別可能に画像内に表示させる。【選択図】図１
2013195314.tif 000002
【特許請求の範囲】
【請求項１】
測定対象体における予め決められた物理量の測定値を取得する測定値取得処理、および前記物理量を測定した測定位置を取得する測定位置取得処理を実行する測定装置であって、
前記測定値および前記測定位置を地図上に示した画像を表示部に表示させる表示処理を実行する処理部を備え、
前記処理部は、予め規定された複数の基準範囲のいずれに前記測定値が属するかを判定する判定処理を行い、前記表示処理において、前記判定した基準範囲を当該判定した基準範囲を除く他の前記基準範囲と区別可能に前記画像内に表示させる測定装置。
【請求項２】
前記処理部は、前記判定処理において、前記測定対象体の良否を判定するための基準値を境界として予め規定された２つの前記基準範囲のいずれに前記測定値が属するかを判定する請求項１記載の測定装置。
【請求項３】
前記処理部は、前記表示処理において、前記画像内における文字、図形および記号の１つ以上の表示態様を前記基準範囲毎に異ならせる請求項１または２記載の測定装置。
【請求項４】
前記処理部は、前記表示態様としての測定位置を表す記号の色および前記測定値を表す文字の色を前記基準範囲毎に異ならせる請求項３記載の測定装置。
【請求項５】
前記物理量を測定する測定器と、前記処理部および前記表示部を有して前記測定器とは別体に構成された携帯型端末とを備え、
前記測定器および前記携帯型端末は、互いに通信可能に構成されている請求項１から４のいずれかに記載の測定装置。
【請求項６】
測定対象体における予め決められた物理量の測定値を取得する測定値取得処理、および前記物理量を測定した測定位置を取得する測定位置取得処理を測定装置に実行させる測定用プログラムであって、
前記測定値および前記測定位置を地図上に示した画像を表示部に表示させる表示処理を前記測定装置に実行させ、
予め規定された複数の基準範囲のいずれに前記測定値が属するかを判定する判定処理を行わせ、前記表示処理において、前記判定した基準範囲を当該判定した基準範囲を除く他の前記基準範囲と区別可能に前記画像内に表示させる測定用プログラム。
【発明の詳細な説明】
【技術分野】
【０００１】
本発明は、測定値を取得する測定値取得処理と測定位置を取得する測定位置取得処理とを実行する測定装置、およびこれらの各処理を測定装置に実行させる測定用プログラムに関するものである。
【背景技術】
【０００２】
この種の装置として、特開２０１１−１７６５３０号公報に開示された遠隔操作システムが知られている。この遠隔操作システムは、携帯電話および光パルス試験機を備えて構成されている。この遠隔操作システムでは、携帯電話が光パルス試験機に対して各種の指令を送信し、光パルス試験機がその指令に従って測定データ（波形データ）を携帯電話に送信する。また、携帯電話が測定データに基づく画像を表示部に表示させる。このように、この遠隔操作システムでは、光パルス試験機を遠隔操作して測定を行う際に、携帯電話を操作部や制御部として機能させる。また、発明者は、この種の装置として、ＧＰＳ機能が搭載された携帯型端末（携帯電話）と測定器とを備えて、ＧＰＳ機能を用いて取得した測定位置（携帯型端末の位置）を、測定器によって測定された測定値と共に地図上に示す画像を表示する機能を有する測定装置を既に開発している。この測定装置では、測定位置および測定値が地図上に表示されるため、例えば複数の測定位置において測定を行ったときに、測定位置毎の測定値を一目で把握することが可能となっている。
【先行技術文献】
【特許文献】
【０００３】
【特許文献１】特開２０１１−１７６５３０号公報（第６−７頁、第１−２図）
【発明の概要】
【発明が解決しようとする課題】
【０００４】
ところが、発明者が既に開発している上記の測定装置には、改善すべき以下の課題が存在する。すなわち、上記の測定装置では、測定位置を測定値と共に地図上に示す画像を表示することで、測定位置毎の測定値を一目で把握することが可能となっている。しかしながら、測定値が予め決められた基準値以上であるか否かを判定してその結果から測定位置毎の測定対象体の良否を判定する際にこの測定装置を用いるときには、測定者が、表示された測定値と基準値とを比較して基準値以上であるか否かの判定を行う必要がある。このため、数多くの測定位置において測定対象体の良否を判定するときには、作業が煩雑となるという課題が存在する。また、数多くの測定位置について測定を行ったときには、地図上に数多くの測定位置および測定値が示されることとなり、測定値の読み取りミスに起因して、測定値が基準値以上であるか否かの判定（つまり、測定対象体の良否の判定）を誤るおそれがあるという課題も存在する。
【０００５】
本発明は、かかる課題を解決すべくなされたものであり、地図上に示された測定位置および測定値に基づいて行う測定対象体の良否の判定を正確かつ容易に行い得る測定装置および測定用プログラムを提供することを主目的とする。
【課題を解決するための手段】
【０００６】
上記目的を達成すべく請求項１記載の測定装置は、測定対象体における予め決められた物理量の測定値を取得する測定値取得処理、および前記物理量を測定した測定位置を取得する測定位置取得処理を実行する測定装置であって、前記測定値および前記測定位置を地図上に示した画像を表示部に表示させる表示処理を実行する処理部を備え、前記処理部は、予め規定された複数の基準範囲のいずれに前記測定値が属するかを判定する判定処理を行い、前記表示処理において、前記判定した基準範囲を当該判定した基準範囲を除く他の前記基準範囲と区別可能に前記画像内に表示させる。
【０００７】
また、請求項２記載の測定装置は、請求項１記載の測定装置において、前記処理部は、前記判定処理において、前記測定対象体の良否を判定するための基準値を境界として予め規定された２つの前記基準範囲のいずれに前記測定値が属するかを判定する。
【０００８】
また、請求項３記載の測定装置は、請求項１または２記載の測定装置において、前記処理部は、前記表示処理において、前記画像内における文字、図形および記号の１つ以上の表示態様を前記基準範囲毎に異ならせる。
【０００９】
また、請求項４記載の測定装置は、請求項３記載の測定装置において、前記処理部は、前記表示態様としての測定位置を表す記号の色および前記測定値を表す文字の色を前記基準範囲毎に異ならせる。
【００１０】
また、請求項５記載の測定装置は、請求項１から４のいずれかに記載の測定装置において、前記物理量を測定する測定器と、前記処理部および前記表示部を有して前記測定器とは別体に構成された携帯型端末とを備え、前記測定器および前記携帯型端末は、互いに通信可能に構成されている。
【００１１】
また、請求項６記載の測定用プログラムは、測定対象体における予め決められた物理量の測定値を取得する測定値取得処理、および前記物理量を測定した測定位置を取得する測定位置取得処理を測定装置に実行させる測定用プログラムであって、前記測定値および前記測定位置を地図上に示した画像を表示部に表示させる表示処理を前記測定装置に実行させ、予め規定された複数の基準範囲のいずれに前記測定値が属するかを判定する判定処理を行わせ、前記表示処理において、前記判定した基準範囲を当該判定した基準範囲を除く他の前記基準範囲と区別可能に前記画像内に表示させる。
【発明の効果】
【００１２】
請求項１記載の測定装置、および請求項６記載の測定用プログラムでは、予め規定された複数の基準範囲のいずれに測定値が属するかを判定し、測定値および測定位置を地図上に示した画像を表示させる表示処理において、測定値が属すると判定した基準範囲を他の基準範囲と区別可能に画像内に表示させる。このため、この測定装置および測定用プログラムでは、測定者が画像内に示された測定値を読み取って基準範囲と比較して測定値がどの基準範囲に属しているかを判定するような煩雑な作業を行うことなく、測定値が属する基準範囲を容易に把握することができる。また、数多くの測定位置において測定を行って地図上に数多くの測定位置および測定値が示されたとしても、測定値の読み取りミスに起因して測定値が属する基準範囲を誤って判定しこれによって測定対象体の良否を誤って判定する事態を確実に防止することができる。したがって、この測定装置および測定用プログラムによれば、地図上に示された測定位置および測定値から測定対象体の良否の判定を正確かつ容易に行うことができる。
【００１３】
また、請求項２記載の測定装置によれば、基準値を境界とする２つの基準範囲を規定することにより、両基準範囲のいずれに測定値が属するかを一目で把握することができるため、その把握した結果から、例えば、測定値が基準値以下か基準値を超えているか（つまり測定対象体の良否）を即座に判定することができる。
【００１４】
また、請求項３記載の測定装置によれば、表示処理において、画像内における文字、図形および記号の１つ以上の表示態様を基準範囲毎に異ならせることにより、表示態様を基準範囲毎に明確に異ならせることで、測定値がどの基準範囲に属するかを十分容易に把握することができる。
【００１５】
また、請求項４記載の測定装置によれば、測定位置を表す記号の色および測定値を表す文字の色を基準範囲毎に異ならせることにより、これらの色を基準範囲毎に明確に異ならせることで、測定値がどの基準範囲に属するかを十分容易に把握することができる。
【００１６】
また、請求項５記載の測定装置によれば、物理量を測定する測定器と、測定器とは別体に構成された携帯型端末とを備え、測定器および携帯型端末を通信可能に構成したことにより、物理量を測定する作業と、携帯型端末に対する各種操作とを別々の測定者（作業者）が分担して行うことができるため、作業効率を十分に向上させることができる。また、携帯型端末に搭載されているＧＰＳ機能、表示機能、タッチ操作機能および記憶機能などを利用することができるため、操作性や利便性を十分に高めることができる。
【図面の簡単な説明】
【００１７】
【図１】測定装置１の構成を示す構成図である。
【図２】測定装置１を用いた測定方法の手順を説明するための説明図である。
【図３】記録データＤｒの構成を概念的に示す構成図である。
【図４】測定値Ｒｄが属する基準範囲Ｅの判定結果を示す判定結果図ある。
【図５】表示部１６に表示された測定結果画像Ｇｄの表示画面図である。
【発明を実施するための形態】
【００１８】
以下、測定装置および測定用プログラムの実施の形態について、添付図面を参照して、説明する。
【００１９】
最初に、図１に示す測定装置１の構成について、図面を参照して説明する。測定装置１は、測定装置の一例であって、測定対象体の一例としての接地電極と電源設備のコールド側端子との間の接地抵抗（予め決められた物理量の一例）を測定可能に構成されている。具体的には、測定装置１は、同図に示すように、携帯型端末２および測定器３を備えて構成されている。
【００２０】
携帯型端末２は、一例としてスマートフォンであって、図１に示すように、操作部１１、ＧＰＳ（Global Positioning System ）受信部１２、送受信部１３、記憶部１４、音声入出力部１５、表示部１６および処理部１７を備えて構成され、電話機として機能すると共に、各種の処理を実行する端末として機能する。
【００２１】
操作部１１は、各種の操作ボタン（図示せず）を備えて構成され、これらのボタンが操作されたときに操作信号を出力する。また、操作部１１は、表示部１６の表面側に配設された図外のタッチパネルを備えており、タッチパネルに対する操作（タッチ操作）が行われたときにも操作信号を出力する。この場合、この携帯型端末２では、操作ボタンやタッチパネルを用いることにより、通話の操作や各種の設定操作を行うことが可能となっている。
【００２２】
ＧＰＳ受信部１２は、処理部１７の制御に従って位置特定処理を実行し、測定装置１の位置（携帯型端末２の位置）を測位すると共に、測位した位置を示す位置データＤｐを出力する。送受信部１３は、処理部１７の制御に従い、測定器３の送受信部２３との間で、各種の指示信号Ｓｉの送信（出力）や測定データＤｄの受信（入力）を行う。つまり、携帯型端末２および測定器３は、有線回線または無線回線を介して互いに通信可能に構成されている。
【００２３】
記憶部１４は、後述する測定値取得処理、測定位置取得処理、表示処理および判定処理を処理部１７に実行させる測定用プログラムを記憶する。また、記憶部１４は、電話帳データ、測定器３から送信される測定データＤｄ、およびＧＰＳ受信部１２から出力される位置データＤｐを記憶する。また、記憶部１４は、表示処理において用いる地図データＤｍ、並びに処理部１７によって生成される後述する記録データＤｒおよび基準範囲データＤｅを記憶する。
【００２４】
音声入出力部１５は、携帯型端末２を電話として機能させる際に音声を入力するマイクロフォンおよび音声を出力するスピーカ（いずれも図示せず）を備えて構成されている。
【００２５】
表示部１６は、処理部１７の制御に従って各種の画像を表示する。具体的には、表示部１６は、通話用の画像（電話帳画像）や各種の設定用画像を表示する。また、表示部１６は、測定装置１を用いて測定した接地抵抗の測定値Ｒｄと、測定値Ｒｄを測定した時点においてＧＰＳ受信部１２によって測位された位置（この位置を「測定位置Ｐｄ」ともいう）を地図上に示した測定結果画像Ｇｄ（図５参照）を表示する。
【００２６】
処理部１７は、記憶部１４に記憶されている測定用プログラムに従って携帯型端末２を構成する各部を制御する。また、処理部１７は、測定器３から送信された測定データＤｄに基づいて接地抵抗の測定値Ｒｄを取得する測定値取得処理を実行する。また、処理部１７は、ＧＰＳ受信部１２から出力された位置データＤｐに基づいて測定位置Ｐｄを取得する測定位置取得処理を実行する。
【００２７】
また、処理部１７は、図３に示すように、接地抵抗が測定された時刻（測定データＤｄが生成された時刻：以下「測定時刻Ｔｄ」ともいう）、測定位置Ｐｄ（測定位置Ｐｄを示す緯度・経度）、および測定値Ｒｄを関連づけたデータ（以下、「記録データＤｒ」ともいう）を生成して、記憶部１４に記憶させる記憶処理を実行する。
【００２８】
また、処理部１７は、操作部１１に対する操作によって入力された基準値Ｒｓ（測定対象体の良否を判定するための基準値であって、この例では、物理量としての接地抵抗の上限値）以下の範囲および基準値Ｒｓを超える範囲の２つ（複数の一例）の範囲（以下、これらの２つの範囲をそれぞれ「基準範囲Ｅ１」および「基準範囲Ｅ２」ともいい、基準範囲Ｅ１，Ｅ２を区別しないときには「基準範囲Ｅ」ともいう）に区画し、各基準範囲Ｅを示す基準範囲データＤｅを生成する。
【００２９】
さらに、処理部１７は、表示処理を実行して上記した測定結果画像Ｇｄを表示部１６に表示させる。また、処理部１７は、判定処理を実行して上記した各基準範囲Ｅのいずれに測定値Ｒｄが属するかを判定する。また、処理部１７は、表示処理において、測定値Ｒｄが属すると判定した基準範囲Ｅを、その判定した基準範囲Ｅを除く他の基準範囲Ｅと区別可能に測定結果画像Ｇｄ内に表示させる。
【００３０】
測定器３は、図１に示すように、操作部２１、測定部２２、送受信部２３、記憶部２４および制御部２５を備えて構成されている。
【００３１】
操作部２１は、各種の操作ボタン（図示せず）を備えて構成され、これらの操作ボタンが操作されたときに操作信号を出力する。
【００３２】
測定部２２は、制御部２５の制御に従って測定処理を実行し、物理量の一例としての接地抵抗を測定して、測定値Ｒｄおよび測定時刻Ｔｄを示す測定データＤｄを出力する。送受信部２３は、制御部２５の制御に従い、携帯型端末２の送受信部１３との間で、指示信号Ｓｉの受信（入力）や測定データＤｄの送信（出力）を行う。記憶部２４は、制御部２５の制御に従って測定部２２から出力された測定データＤｄを記憶する。
【００３３】
制御部２５は、操作部２１から出力される操作信号、および送受信部２３によって受信される指示信号Ｓｉ（携帯型端末２から送信された指示信号Ｓｉ）に従い、測定部２２および送受信部２３を制御する。
【００３４】
次に、測定装置１の使用方法、および測定装置１の動作について、図面を参照して説明する。一例として、図２に示すように、工場敷地３００内における複数の測定地点（例えば、同図に示す測定地点Ａ１〜Ａ６：区別しないときには「測定地点Ａ」ともいう）において、測定対象体としての接地電極と電源設備のコールド側端子との間の接地抵抗を測定し、その測定値Ｒｄから接地電極と電源設備との間の接地状態の良否（測定対象体の良否）を判定する例について説明する。
【００３５】
測定に先立ち、測定装置１における携帯型端末２の送受信部１３と測定器３の送受信部２３とを接続する。この場合、一例として、送受信部１３と送受信部２３とを通信用ケーブルで接続する。次いで、携帯型端末２の操作部１１を操作して、基準値Ｒｓの一例として「１０Ω」を入力する。この際に、携帯型端末２の処理部１７が、入力された基準値Ｒｓを境界として接地抵抗の値を２つの基準範囲Ｅ１，Ｅ２に区画する。具体的には、基準値Ｒｓ以下の範囲を基準範囲Ｅ１とし、基準値Ｒｓを超える範囲を基準範囲Ｅ２とする。続いて、処理部１７は、基準範囲Ｅ１，Ｅ２を示す基準範囲データＤｅを生成して記憶部１４に記憶させる。
【００３６】
次いで、最初の測定地点Ａ１において接地抵抗を測定する。具体的には、測定者が測定装置１（携帯型端末２および測定器３）を携帯して測定地点Ａ１に移動し、続いて、測定地点Ａ１において、測定器３の操作部２１を操作して、測定処理の実行を指示する。この際に、操作部２１が操作信号を出力し、これに応じて、測定器３の制御部２５が、測定部２２を制御して測定処理を実行させる。
【００３７】
この測定処理では、測定部２２は、測定対象体間（接地電極と電源設備のコールド側端子との間）に測定用電流を供給し、その測定用電流の供給に伴って生じる電圧の電圧値と、測定用電流の電流値とに基づいて測定対象体間の抵抗（接地抵抗）を測定し、その測定値Ｒｄを示す測定データＤｄを出力する。次いで、制御部２５は、測定データＤｄを記憶部２４に記憶させる。
【００３８】
続いて、携帯型端末２の操作部１１を操作して、測定値取得処理および測定位置取得処理の実行を指示する。この際に、操作部１１が操作信号を出力し、これに応じて、携帯型端末２の処理部１７が、送受信部１３を制御して、測定データＤｄの送信を指示する指示信号Ｓｉを測定器３に送信（出力）させる。
【００３９】
また、処理部１７は、ＧＰＳ受信部１２を制御して位置特定処理を実行させる。この位置特定処理では、ＧＰＳ受信部１２は、複数のＧＰＳ衛星から受信した時刻データと、内部時計から出力される時刻データとに基づいて、測定装置１と各ＧＰＳ衛星との間の距離を算出し、算出した各距離から測定装置１の位置（携帯型端末２の位置）を測位する。次いで、ＧＰＳ受信部１２は、測位した位置を示す位置データＤｐを出力する。
【００４０】
一方、測定器３では、送受信部２３が、携帯型端末２の送受信部１３から送信された指示信号Ｓｉを受信（入力）して制御部２５に転送する。続いて、制御部２５は、指示信号Ｓｉに従い、記憶部２４から測定データＤｄを読み出すと共に、送受信部２３を制御して、測定データＤｄを携帯型端末２に送信（出力）させる。
【００４１】
次いで、携帯型端末２の送受信部１３が、送受信部２３から送信された測定データＤｄを受信（入力）して処理部１７に転送する。続いて、処理部１７は、測定値取得処理を実行して、送受信部１３から転送された（測定器３から送信された）測定データＤｄに基づいて測定時刻Ｔｄおよび測定値Ｒｄを取得する。また、処理部１７は、測定位置取得処理を実行して、ＧＰＳ受信部１２から出力された位置データＤｐに基づいて測定位置Ｐｄ（測定時刻Ｔｄにおける測定位置Ｐｄ）を取得する。次いで、処理部１７は、取得した測定時刻Ｔｄ、測定値Ｒｄおよび測定位置Ｐｄを関連付けた記録データＤｒ（図３参照）を生成して記憶部１４に記憶させる。これにより、測定地点Ａ１における測定が終了する。
【００４２】
続いて、測定者が測定装置１を携帯して次の測定地点Ａ２（図２参照）に移動し、上記した手順で接地抵抗の測定を行う。この際には、測定器３が測定地点Ａ２における接地抵抗を測定し、携帯型端末２がその測定時刻Ｔｄ、測定値Ｒｄおよび測定位置Ｐｄを関連づけた記録データＤｒ記憶する。以下、同様にして、各測定地点Ａ３〜Ａ６において接地抵抗の測定を行う。
【００４３】
この場合、各測定地点Ａにおける測定が終了した時点では、携帯型端末２の記憶部１４に記憶されている記録データＤｒには、図３に示すように、互いに関連づけられた測定地点Ａ毎の測定時刻Ｔｄ、測定位置Ｐｄおよび測定値Ｒｄが含まれている。
【００４４】
ここで、この測定装置１（携帯型端末２）は、測定位置Ｐｄおよび測定値Ｒｄを地図上に示した測定結果画像Ｇｄを表示する機能を有している。この機能を利用して測定結果画像Ｇｄを表示させるときには、携帯型端末２における操作部１１を操作して、表示処理の実行を指示する。この際に、操作部１１から出力された操作信号に従い、処理部１７が表示処理を実行する。
【００４５】
この表示処理では、処理部１７は、記憶部１４から地図データＤｍ、記録データＤｒおよび基準範囲データＤｅを読み出す。次いで、処理部１７は、記録データＤｒに含まれている各測定地点Ａ（測定位置Ｐｄ）における測定値Ｒｄと、基準範囲データＤｅに含まれている２つの基準範囲Ｅ１，Ｅ２とを比較して、図４に示すように、測定値Ｒｄが属する基準範囲Ｅ（測定値Ｒｄが基準範囲Ｅ１，Ｅ２のいずれに属するか）を測定地点Ａ毎に判定する判定処理を実行する。
【００４６】
続いて、処理部１７は、図５に示すように、測定位置Ｐｄ（各測定地点Ａ１〜Ａ６の位置）を表す記号（例えば、同図に丸で示すマーク：以下「位置マーク」ともいう）と、測定値Ｒｄを表す数字とを、工場敷地３００（図２参照）の地図上に示した測定結果画像Ｇｄを表示するための画像データを、地図データＤｍおよび記録データＤｒに基づいて生成する。
【００４７】
この場合、処理部１７は、測定値Ｒｄが基準範囲Ｅ１に属するときには、その測定値Ｒｄを表す数字、およびその測定値Ｒｄに対応する位置マークを青色で示すと共に、測定値Ｒｄが基準範囲Ｅ２に属するときには、その測定値Ｒｄを表す数字、およびその測定値Ｒｄに対応する位置マークを赤色で示す画像データを生成する。
【００４８】
続いて、処理部１７は、画像データを表示部１６に出力する。これにより、図５に示すように、表示部１６に測定結果画像Ｇｄが表示される。なお、同図に示す「Ａ１」〜「Ａ６」の文字は、実際の測定結果画像Ｇｄには表示されない。また、同図では、斜線を付した数字および位置マークが赤で表示されていることを表し、斜線を付していない数字および位置マークが青で表示されていることを表している。
【００４９】
図５に示すように、基準範囲Ｅ１に属する（つまり、基準値Ｒｓ以下の）測定値Ｒｄを表す数字、およびその測定値Ｒｄに対応する位置マークが青色で示され、基準範囲Ｅ２に属する（つまり、基準値Ｒｓを超える）測定値Ｒｄを表す数字、およびその測定値Ｒｄに対応する位置マークが赤色で示される。このように、測定結果画像Ｇｄ内における文字および記号（文字、図形および記号の１つ以上の一例）の表示態様（この例では、色）を基準範囲Ｅ毎に異ならせることで、測定値Ｒｄが属する基準範囲Ｅが他の基準範囲Ｅと明確に区別され、これによって使用者は、各測定値Ｒｄが基準値Ｒｓ以下であるか否を明確に把握することが可能となる。このため、使用者は、各測定位置Ｐｄにおいて測定対象体が良好であるか否かを正確かつ容易に判定することが可能となる。
【００５０】
このように、この測定装置１および測定用プログラムでは、予め規定した複数の基準範囲Ｅのいずれに測定値Ｒｄが属するかを判定し、測定値Ｒｄおよび測定位置Ｐｄを地図上に示した測定結果画像Ｇｄを表示させる表示処理において、測定値Ｒｄが属すると判定した基準範囲Ｅを他の基準範囲Ｅと区別可能に測定結果画像Ｇｄ内に表示させる。このため、この測定装置１および測定用プログラムでは、測定者が測定結果画像Ｇｄ内に示された測定値Ｒｄを読み取って基準範囲Ｅ（または、基準値Ｒｓ）と比較して測定値Ｒｄがどの基準範囲Ｅに属しているかを判定するような煩雑な作業を行うことなく、測定値Ｒｄが属する基準範囲Ｅを容易に把握することができる。また、数多くの測定位置Ｐｄ（測定地点Ａ）において測定を行って地図上に数多くの測定位置Ｐｄおよび測定値Ｒｄが示されたとしても、測定値Ｒｄの読み取りミスに起因して測定値Ｒｄが属する基準範囲Ｅを誤って判定しこれによって測定対象体の良否を誤って判定する事態を確実に防止することができる。したがって、この測定装置１および測定用プログラムによれば、地図上に示された測定位置Ｐｄおよび測定値Ｒｄから測定対象体の良否の判定を正確かつ容易に行うことができる。
【００５１】
また、この測定装置１および測定用プログラムによれば、基準値Ｒｓを境界とする２つの基準範囲Ｅ１，Ｅ２を規定することにより、両基準範囲Ｅ１，Ｅ２のいずれに測定値Ｒｄが属するかを一目で把握することができるため、その把握した結果から、例えば、測定値Ｒｄが基準値Ｒｓ以下か基準値Ｒｓを超えているか（つまり測定対象体の良否）を即座に判定することができる。
【００５２】
また、この測定装置１および測定用プログラムによれば、表示処理において、測定結果画像Ｇｄ内における文字、図形および記号の１つ以上の表示態様を基準範囲Ｅ毎に異ならせることにより、表示態様を基準範囲毎に明確に異ならせることで、測定値Ｒｄがどの基準範囲Ｅに属するかを十分容易に把握することができる。
【００５３】
また、この測定装置１および測定用プログラムによれば、測定位置Ｐｄを表す記号（位置マーク）の色および測定値Ｒｄを表す文字の色を基準範囲Ｅ毎に異ならせることにより、これらの色を基準範囲Ｅ毎に明確に異ならせることで、測定値Ｒｄがどの基準範囲Ｅに属するかを十分容易に把握することができる。
【００５４】
また、この測定装置１によれば、接地抵抗を測定する測定器３と、測定器３とは別体に構成された携帯型端末２とを備え、測定器３および携帯型端末２を通信可能に構成したことにより、物理量（接地抵抗）を測定する作業と、携帯型端末２に対する各種操作とを別々の測定者（作業者）が分担して行うことができるため、作業効率を十分に向上させることができる。また、携帯型端末２に搭載されているＧＰＳ機能、表示機能、タッチ操作機能および記憶機能などを利用することができるため、操作性や利便性を十分に高めることができる。
【００５５】
なお、測定装置１および測定用プログラムは、上記の構成に限定されない。例えば、送受信部１３と送受信部２３とを通信用ケーブルで接続し、通信用ケーブルを介して指示信号Ｓｉや測定データＤｄの送受信（通信）を行う例について上記したが、送受信部１３および送受信部２３が無線で通信を行う構成を採用することもできる。
【００５６】
また、２つの基準範囲Ｅ１，Ｅ２を規定した例について上記したが、３つ以上の基準範囲Ｅを規定する構成を採用することもできる。例えば、入力された基準値Ｒｓから予め決められた値を差し引いた値（以下、「第２基準値」ともいう）以下の範囲を基準範囲Ｅ３とし、第２基準値を超えかつ基準値Ｒｓ以下の範囲を基準範囲Ｅ４とし、基準値Ｒｓを超える範囲を基準範囲Ｅ５とする。つまり、値が低い順に、基準範囲Ｅ３、基準範囲Ｅ４および基準範囲Ｅ５とする。このように３つの基準範囲Ｅを規定した場合において、測定値Ｒｄが基準範囲Ｅ３に属するときには、その測定値Ｒｄを表す数字、およびその測定値Ｒｄに対応する位置マークを青色で示し、測定値Ｒｄが基準範囲Ｅ４に属するときには、その測定値Ｒｄを表す数字、およびその測定値Ｒｄに対応する位置マークを黄色で示し、測定値Ｒｄが基準範囲Ｅ５に属するときには、その測定値Ｒｄを表す数字、およびその測定値Ｒｄに対応する位置マークを赤色で示す。このように構成することで、「測定値Ｒｄが基準値Ｒｓよりも十分に小さい」、「測定値Ｒｄが基準値Ｒｓ以下ではあるが基準値Ｒｓに近い」、および「測定値Ｒｄが基準値Ｒｓを超えている」との３つの状態を一目で把握することができる。
【００５７】
また、測定位置Ｐｄを表す記号（位置マーク）の色および測定値Ｒｄを表す文字の色を測定値Ｒｄが属する基準範囲Ｅ毎に異ならせることによってその基準範囲Ｅを他の基準範囲Ｅと区別可能に表示する例について上記したが、測定値Ｒｄが属する基準範囲Ｅを他の基準範囲Ｅと区別可能に表示する構成は、測定結果画像Ｇｄ内における文字、図形および記号の１つ以上の表示態様を基準範囲Ｅ毎に異ならせる構成である限り任意に変更することができる。具体的には、上記の例では、測定位置Ｐｄを表す記号の色および測定値Ｒｄを表す文字の色の双方を基準範囲Ｅ毎に異ならせているが、これら（記号の色および文字の色）の一方だけを基準範囲Ｅ毎に異ならせる構成を採用することもできる。
【００５８】
また、測定位置Ｐｄを表す記号や図形の形状を、測定値Ｒｄが属する基準範囲Ｅ毎に異ならせて表示する構成を採用することもできる。一例として、測定値Ｒｄが基準範囲Ｅ１に属するときには「○」の記号や「○」の図形を表示し、測定値Ｒｄが基準範囲Ｅ２に属するときには「×」の記号や「×」の図形を表示する構成を採用することができる。また、「○」の記号や「○」の図形の色と「×」の記号や「×」の図形の色とを異ならせる構成、つまり測定位置Ｐｄを表す記号や図形の形状と色とを基準範囲Ｅ毎に異ならせる構成を採用することもできる。
【００５９】
さらに、測定値Ｒｄが基準範囲Ｅ１に属するときには「基準値以下」の文字を表示し、測定値Ｒｄが基準範囲Ｅ２に属するときには「基準値超え」の文字を表示する構成、つまり、基準範囲Ｅ毎に文字の内容を異ならせる構成（つまり、測定値Ｒｄと「基準値」との関係を文字で示す構成）を採用することもできる。また、「基準値以下」の文字の色と「基準値超え」の文字の色とを異ならせる構成、つまり文字の内容と色とを基準範囲Ｅ毎に異ならせる構成を採用することもできる。また、文字、図形および記号の２つまたは全てについて、その形状や色（つまり、表示形態）を基準範囲Ｅ毎に異ならせる構成を採用することもできる。
【００６０】
また、ＧＰＳ受信部１２を備えた携帯型端末２を用いる例について上記したが、測定器３にＧＰＳ機能を搭載して、測定器３のＧＰＳ機能を用いて測定位置Ｐｄを取得する構成を採用することもできる。また、測定器３に表示部を設けて、測定器３の表示部に測定結果画像Ｇｄを表示させる構成や、測定装置１以外の表示部に測定結果画像Ｇｄを表示させる構成を採用することもできる。また、測定器３に記憶部を設けて、測定器３の記憶部に記録データＤｒを記憶させる構成や、測定装置１以外の記憶部に記録データＤｒを記憶させる構成を採用することもできる。
【００６１】
また、別体に構成された携帯型端末２および測定器３で測定装置１を構成した例について上記したが、携帯型端末２および測定器３が有する各機能（携帯型端末２および測定器３に搭載されている各構成要素）を備えて単体の測定装置を採用することもできる。また、物理量の一例としての接地抵抗を測定する例について上記したが、接地抵抗以外の他の物理量（例えば、電流、電圧および電力など）の測定に適用することができるのは勿論である。
【符号の説明】
【００６２】
１  測定装置
２  携帯型端末
３  測定器
１３  送受信部
１６  表示部
１７  処理部
２３  送受信部
Ｅ１，Ｅ２  基準範囲
Ｇｄ  測定結果画像
Ｐｄ  測定位置
Ｒｄ  測定値
Ｒｓ  基準値
【図１】
2013195314.tif 000003
【図２】
2013195314.tif 000004
【図３】
2013195314.tif 000005
【図４】
2013195314.tif 000006
【図５】
2013195314.tif 000007